(57)【要約】      （修正有）【課題】ワイヤレス通信システムにおいて、レガシーキャリアタイプと新しいキャリアタイプを共存させる。【解決手段】ワイヤレス通信は、第１のキャリアタイプに関連するリソースの第１のセットと、第２のキャリアタイプに関連するリソースの第２のセットとを有する周波数帯域中で行われる。一構成では、第１のキャリアタイプは新しいキャリアタイプであり、第２のキャリアタイプはレガシーキャリアタイプである。レガシーＵＥは、第２のキャリアタイプからの信号のみを受信する。しかしながら、新しいＵＥは、第１のキャリアタイプと第２のキャリアタイプの両方からの信号を受信する。したがって、新しいＵＥをサポートしながら後方互換性を与えるために、ｅノードＢは、レガシーＵＥとのシグナリングを維持しながら、新しいＵＥに第１のキャリアタイプのサポートをシグナリングする。【選択図】図１３
2020113993.tif 000002
【特許請求の範囲】
【請求項１】
キャリア上でリソースを送信することと、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すことと、
ユーザ機器（ＵＥ）の動作をリソースの前記第１のセットまたはリソースの前記第２のセットに制限することと
を備える、ワイヤレス通信の方法。
【請求項２】
前記第１のキャリアタイプがレガシーキャリアタイプを備え、前記第２のキャリアタイプが新しいキャリアタイプを備える、請求項１に記載の方法。
【請求項３】
前記キャリアが通信のための周波数帯域である、請求項１に記載の方法。
【請求項４】
使用されている実際の帯域幅とは異なる帯域幅を広告することをさらに備える、請求項１に記載の方法。
【請求項５】
前記動作がページングオケージョンを備え、リソースの前記第１のセットがリソースの前記第２のセットから直交する、請求項１に記載の方法。
【請求項６】
ネットワークローディングに少なくとも部分的に基づいてページングオケージョンを定義することをさらに備える、請求項５に記載の方法。
【請求項７】
第１のキャリアタイプＵＥについてページングオケージョンを監視するための少なくとも１つの第１のサブフレームと、第２のキャリアタイプＵＥについてページングオケージョンを監視するための少なくとも１つの第２のサブフレームとを定義することをさらに備える、請求項５に記載の方法。
【請求項８】
前記第２のキャリアタイプＵＥが、前記第１のキャリアタイプＵＥと比較してページング監視のために追加のサブフレームを使用する、請求項７に記載の方法。
【請求項９】
新しいページングロケーションにマッピングするための新しいハッシング関数を定義することをさらに備える、請求項５に記載の方法。
【請求項１０】
前記示すことが、前記キャリアを前記第２のキャリアタイプとして示すためにマスタ情報ブロック（ＭＩＢ）またはシステム情報ブロック（ＳＩＢ）中で予約済みビットを送信することを備える、請求項１に記載の方法。
【請求項１１】
前記動作が、リソースの前記第１のセットまたはリソースの前記第２のセットを監視することを備える、請求項１に記載の方法。
【請求項１２】
前記リソースがサブフレームまたはサブバンドを備える、請求項１に記載の方法。
【請求項１３】
キャリア上でリソースを受信することと、前記リソースが、第１のキャリアタイプに関連するリソースの第１のセットと、第２のキャリアタイプに関連するリソースの第２のセットとを含む、
前記キャリアが前記第１のキャリアタイプであるか前記第２のキャリアタイプであるかを判断することと、
リソースの前記第１のセットまたはリソースの前記第２のセットへの動作の制限を受信することと
を備える、ワイヤレス通信の方法。
【請求項１４】
前記第１のキャリアタイプがレガシーキャリアタイプを備え、前記第２のキャリアタイプが新しいキャリアタイプを備える、請求項１３に記載の方法。
【請求項１５】
前記キャリアが通信のための周波数帯域である、請求項１３に記載の方法。
【請求項１６】
前記動作がページングオケージョンを備え、リソースの前記第１のセットがリソースの前記第２のセットから直交する、請求項１３に記載の方法。
【請求項１７】
前記判断することは、前記キャリアが前記第２のキャリアタイプであることを示すためのマスタ情報ブロック（ＭＩＢ）またはシステム情報ブロック（ＳＩＢ）中の予約済みビットに少なくとも部分的に基づく、請求項１３に記載の方法。
【請求項１８】
前記動作が、リソースの前記第１のセットまたはリソースの前記第２のセットを監視することを備える、請求項１３に記載の方法。
【請求項１９】
前記リソースがサブフレームまたはサブバンドを備える、請求項１３に記載の方法。
【請求項２０】
メモリと、
前記メモリに結合された少なくとも１つのプロセッサと、
を備え、
前記少なくとも１つのプロセッサは、
キャリア上でリソースを送信することと、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すことと、
ユーザ機器（ＵＥ）の動作をリソースの前記第１のセットまたはリソースの前記第２のセットに制限することと
を行うように構成される、
ワイヤレス通信のための装置。
【請求項２１】
前記第１のキャリアタイプがレガシーキャリアタイプを備え、前記第２のキャリアタイプが新しいキャリアタイプを備える、請求項２０に記載の装置。
【請求項２２】
前記キャリアが通信のための周波数帯域である、請求項２０に記載の装置。
【請求項２３】
前記少なくとも１つのプロセッサが、使用されている実際の帯域幅とは異なる帯域幅を広告するようにさらに構成された、請求項２０に記載の装置。
【請求項２４】
前記動作がページングオケージョンを備え、リソースの前記第１のセットがリソースの前記第２のセットから直交する、請求項２０に記載の装置。
【請求項２５】
前記少なくとも１つのプロセッサが、ネットワークローディングに少なくとも部分的に基づいてページングオケージョンを定義するようにさらに構成された、請求項２４に記載の装置。
【請求項２６】
前記少なくとも１つのプロセッサが、第１のキャリアタイプＵＥについてページングオケージョンを監視するための少なくとも１つの第１のサブフレームと、第２のキャリアタイプＵＥについてページングオケージョンを監視するための少なくとも１つの第２のサブフレームとを定義するようにさらに構成された、請求項２４に記載の装置。
【請求項２７】
前記第２のキャリアタイプＵＥが、前記第１のキャリアタイプＵＥと比較してページング監視のために追加のサブフレームを使用する、請求項２６に記載の装置。
【請求項２８】
前記少なくとも１つのプロセッサが、新しいページングロケーションにマッピングするために新しいハッシング関数を定義するようにさらに構成された、請求項２４に記載の装置。
【請求項２９】
前記少なくとも１つのプロセッサが、前記キャリアを前記第２のキャリアタイプとして示すためにマスタ情報ブロック（ＭＩＢ）またはシステム情報ブロック（ＳＩＢ）中で予約済みビットを送信することによって示すようにさらに構成された、請求項２０に記載の装置。
【請求項３０】
前記動作が、リソースの前記第１のセットまたはリソースの前記第２のセットを監視することを備える、請求項２０に記載の装置。
【請求項３１】
前記リソースがサブフレームまたはサブバンドを備える、請求項２０に記載の装置。
【請求項３２】
メモリと、
前記メモリに結合された少なくとも１つのプロセッサと、
を備え、
前記少なくとも１つのプロセッサは、
キャリア上でリソースを受信することと、前記リソースが、第１のキャリアタイプに関連するリソースの第１のセットと、第２のキャリアタイプに関連するリソースの第２のセットとを含む、
前記キャリアが前記第１のキャリアタイプであるか前記第２のキャリアタイプであるかを判断することと、
リソースの前記第１のセットまたはリソースの前記第２のセットへの動作の制限を受信することと
を行うように構成される、
ワイヤレス通信のための装置。
【請求項３３】
前記第１のキャリアタイプがレガシーキャリアタイプを備え、前記第２のキャリアタイプが新しいキャリアタイプを備える、請求項３２に記載の装置。
【請求項３４】
前記キャリアが通信のための周波数帯域である、請求項３２に記載の装置。
【請求項３５】
前記動作がページングオケージョンを備え、リソースの前記第１のセットがリソースの前記第２のセットから直交する、請求項３２に記載の装置。
【請求項３６】
前記少なくとも１つのプロセッサは、前記キャリアが前記第２のキャリアタイプであることを示すためのマスタ情報ブロック（ＭＩＢ）またはシステム情報ブロック（ＳＩＢ）中の予約済みビットに少なくとも部分的に基づいて判断するように構成された、請求項３２に記載の装置。
【請求項３７】
前記動作が、リソースの前記第１のセットまたはリソースの前記第２のセットを監視することを備える、請求項３２に記載の装置。
【請求項３８】
前記リソースがサブフレームまたはサブバンドを備える、請求項３２に記載の装置。
【請求項３９】
キャリア上でリソースを送信するための手段と、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すための手段と、
ユーザ機器（ＵＥ）の動作をリソースの前記第１のセットまたはリソースの前記第２のセットに制限するための手段と
を備える、ワイヤレス通信のための装置。
【請求項４０】
キャリア上でリソースを受信するための手段と、前記リソースが、第１のキャリアタイプに関連するリソースの第１のセットと、第２のキャリアタイプに関連するリソースの第２のセットとを含む、
前記キャリアが前記第１のキャリアタイプであるか前記第２のキャリアタイプであるかを判断するための手段と、
リソースの前記第１のセットまたはリソースの前記第２のセットへの動作の制限を受信するための手段と
を備える、ワイヤレス通信のための装置。
【請求項４１】
ワイヤレス通信のためのコンピュータプログラム製品であって、前記コンピュータプログラム製品が、
プログラムコードを記録した非一時的コンピュータ可読媒体
を備え、前記プログラムコードは、
キャリア上でリソースを送信するためのプログラムコードと、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すためのプログラムコードと、
ユーザ機器（ＵＥ）の動作をリソースの前記第１のセットまたはリソースの前記第２のセットに制限するためのプログラムコードと
を備える、
コンピュータプログラム製品。
【請求項４２】
ワイヤレス通信のためのコンピュータプログラム製品であって、前記コンピュータプログラム製品が、
プログラムコードを記録した非一時的コンピュータ可読媒体
を備え、前記プログラムコードは、
キャリア上でリソースを受信するためのプログラムコードと、前記リソースが、第１のキャリアタイプに関連するリソースの第１のセットと、第２のキャリアタイプに関連するリソースの第２のセットとを含む、
前記キャリアが前記第１のキャリアタイプであるか前記第２のキャリアタイプであるかを判断するためのプログラムコードと、
リソースの前記第１のセットまたはリソースの前記第２のセットへの動作の制限を受信するためのプログラムコードと
を備える、
コンピュータプログラム製品。
【発明の詳細な説明】
【技術分野】
【０００１】
関連出願の相互参照
[0001]本出願は、開示の全体が参照により本明細書に明確に組み込まれる、２０１２年５月１１日に出願された「COEXISTENCE BETWEEN LEGACY CARRIER TYPES AND NEW CARRIER TYPES」と題する米国仮特許出願第６１／６４６，２２４号、および２０１２年５月１８日に出願された「COEXISTENCE BETWEEN LEGACY CARRIER TYPES AND NEW CARRIER TYPES」と題する米国仮特許出願第６１／６４９，１８８号に対する米国特許法第１１９条（ｅ）項に基づく利益を主張する。
【０００２】
[0002]本開示の態様は、一般にワイヤレス通信システムに関し、より詳細には、レガシーキャリアタイプと新しいキャリアタイプとの間の共存（coexistence between legacy carrier types and new carrier types）に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の（emerging）電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイル電気通信システム（ＵＭＴＳ：Universal Mobile Telecommunications System）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]ここでは、以下の詳細な説明がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【発明の概要】
【０００６】
[0006]ワイヤレス通信の方法が、第１のキャリアタイプに関連するリソースの第１のセットと、第２のキャリアタイプに関連するリソースの第２のセットとを有する周波数帯域中で行われる。一構成では、第１のキャリアタイプは新しいキャリアタイプであり、第２のキャリアタイプはレガシーキャリアタイプである。レガシーＵＥは、第２のキャリアタイプからの信号のみを受信し得る。しかしながら、新しいＵＥは、第１のキャリアタイプと第２のキャリアタイプの両方からの信号を受信し得る。したがって、新しいＵＥをサポートしながら後方互換性を与えるために、ｅノードＢは、レガシーＵＥとのシグナリングを維持しながら、新しいＵＥに第１のキャリアタイプのサポートをシグナリングし得る。さらに、ｅノードＢは、ＵＥの動作をリソースの第１のセットまたはリソースの第２のセットに制限し得る。
【０００７】
[0007]本開示の一態様では、ワイヤレス通信の方法が開示される。本方法は、キャリア上でリソースを送信することを含む。リソースは、第１のキャリアタイプに関連するリソースの第１のセットと、第２のキャリアタイプに関連するリソースの第２のセットとを含む。本方法はまた、キャリアが第１のキャリアタイプまたは第２のキャリアタイプのいずれかであることを示すことを含む。本方法はさらに、ＵＥの動作をリソースの第１のセットまたはリソースの第２のセットに制限することを含む。
【０００８】
[0008]本開示の別の態様は、キャリア上でリソースを送信するための手段を含む装置を開示する。リソースは、第１のキャリアタイプに関連するリソースの第１のセットと、第２のキャリアタイプに関連するリソースの第２のセットとを含む。本装置はまた、キャリアが第１のキャリアタイプまたは第２のキャリアタイプのいずれかであることを示すための手段を含む。本装置はさらに、ＵＥの動作をリソースの第１のセットまたはリソースの第２のセットに制限するための手段を含む。
【０００９】
[0009]本開示の別の態様では、非一時的コンピュータ可読媒体を有する、ワイヤレスネットワークにおけるワイヤレス通信のためのコンピュータプログラム製品が開示される。コンピュータ可読媒体は、（１つまたは複数の）プロセッサによって実行されたとき、（１つまたは複数の）プロセッサに、キャリア上でリソースを送信する動作を実行することを行わせる、非一時的プログラムコードを記録している。リソースは、第１のキャリアタイプに関連するリソースの第１のセットと、第２のキャリアタイプに関連するリソースの第２のセットとを含む。プログラムコードはまた、（１つまたは複数の）プロセッサに、キャリアが第１のキャリアタイプまたは第２のキャリアタイプのいずれかであることを示すことを行わせる。プログラムコードはさらに、（１つまたは複数の）プロセッサに、ＵＥの動作をリソースの第１のセットまたはリソースの第２のセットに制限することを行わせる。
【００１０】
[0010]本開示の別の態様は、メモリと、メモリに結合された少なくとも１つのプロセッサとを有するワイヤレス通信装置を含む。（１つまたは複数の）プロセッサは、キャリア上でリソースを送信するように構成され、リソースは、第１のキャリアタイプに関連するリソースの第１のセットと、第２のキャリアタイプに関連するリソースの第２のセットとを含む。（１つまたは複数の）プロセッサはまた、キャリアが第１のキャリアタイプまたは第２のキャリアタイプのいずれかであることを示すように構成される。（１つまたは複数の）プロセッサはさらに、ＵＥの動作をリソースの第１のセットまたはリソースの第２のセットに制限するように構成される。
【００１１】
[0011]本開示の一態様では、ワイヤレス通信の方法が開示される。本方法は、キャリア上でリソースを受信することを含む。リソースは、第１のキャリアタイプに関連するリソースの第１のセットと、第２のキャリアタイプに関連するリソースの第２のセットとを含む。本方法はまた、キャリアが第１のキャリアタイプであるか第２のキャリアタイプであるかを判断することを含む。本方法はさらに、リソースの第１のセットまたはリソースの第２のセットへの動作の制限を受信することを含む。
【００１２】
[0012]本開示の別の態様は、キャリア上でリソースを受信するための手段を含む装置を開示する。リソースは、第１のキャリアタイプに関連するリソースの第１のセットと、第２のキャリアタイプに関連するリソースの第２のセットとを含む。本装置はまた、キャリアが第１のキャリアタイプであるか第２のキャリアタイプであるかを判断するための手段を含む。本装置はさらに、リソースの第１のセットまたはリソースの第２のセットへの動作の制限を受信するための手段を含む。
【００１３】
[0013]本開示の別の態様では、非一時的コンピュータ可読媒体を有する、ワイヤレスネットワークにおけるワイヤレス通信のためのコンピュータプログラム製品が開示される。コンピュータ可読媒体は、（１つまたは複数の）プロセッサによって実行されたとき、（１つまたは複数の）プロセッサに、キャリア上でリソースを受信する動作を実行することを行わせる、非一時的プログラムコードを記録している。リソースは、第１のキャリアタイプに関連するリソースの第１のセットと、第２のキャリアタイプに関連するリソースの第２のセットとを含む。プログラムコードはまた、（１つまたは複数の）プロセッサに、キャリアが第１のキャリアタイプであるか第２のキャリアタイプであるかを判断することを行わせる。プログラムコードはさらに、（１つまたは複数の）プロセッサに、リソースの第１のセットまたはリソースの第２のセットへの動作の制限を受信することを行わせる。
【００１４】
[0014]本開示の別の態様は、メモリと、メモリに結合された少なくとも１つのプロセッサとを有するワイヤレス通信装置を含む。（１つまたは複数の）プロセッサは、キャリア上でリソースを受信するように構成される。リソースは、第１のキャリアタイプに関連するリソースの第１のセットと、第２のキャリアタイプに関連するリソースの第２のセットとを含む。（１つまたは複数の）プロセッサはまた、キャリアが第１のキャリアタイプであるか第２のキャリアタイプであるかを判断するように構成される。（１つまたは複数の）プロセッサはさらに、リソースの第１のセットまたはリソースの第２のセットへの動作の制限を受信するように構成される。
【００１５】
[0015]以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１６】
[0016]本開示の特徴、特性、および利点は、全体を通じて同様の参照符号が同様のものを指す図面とともに、以下に記載する詳細な説明を読めばより明らかになろう。
【図面の簡単な説明】
【００１７】
【図１】[0017]ネットワークアーキテクチャの一例を示す図。
【図２】[0018]アクセスネットワークの一例を示す図。
【図３】[0019]ＬＴＥにおけるダウンリンクフレーム構造の一例を示す図。
【図４】[0020]ＬＴＥにおけるアップリンクフレーム構造の一例を示す図。
【図５】[0021]ユーザプレーンおよび制御プレーンのための無線プロトコルアーキテクチャの一例を示す図。
【図６】[0022]アクセスネットワーク中の発展型ノードＢおよびユーザ機器の一例を示す図。
【図７】[0023]本開示の一態様による、異機種ネットワークにおける適応リソース区分を概念的に示すブロック図。
【図８】[0024]連続キャリアアグリゲーションタイプ（a continuous carrier aggregation type）を開示する図。
【図９】[0025]非連続キャリアアグリゲーションタイプ（a non-continuous carrier aggregation type）を開示する図。
【図１０】[0026]ＭＡＣレイヤデータアグリゲーション（MAC layer data aggregation）を開示する図。
【図１１】[0027]複数キャリア構成において無線リンクを制御するための方法を示すブロック図。
【図１２Ａ】[0028]本開示の態様による、レガシーキャリアタイプと新しいキャリアタイプとのためのサブフレーム区分を示すブロック図。
【図１２Ｂ】本開示の態様による、レガシーキャリアタイプと新しいキャリアタイプとのためのサブフレーム区分を示すブロック図。
【図１３】[0029]本開示の一態様による、複数のキャリアタイプ間の共存を可能にするための方法を示すブロック図。
【図１４】本開示の一態様による、複数のキャリアタイプ間の共存を可能にするための方法を示すブロック図。
【図１５】[0030]例示的な装置中の異なるモジュール／手段／構成要素間のデータフローを示す概念データフロー図。
【図１６】例示的な装置中の異なるモジュール／手段／構成要素間のデータフローを示す概念データフロー図。
【図１７】[0031]例示的な装置中の異なるモジュール／手段／構成要素を示すブロック図。
【図１８】例示的な装置中の異なるモジュール／手段／構成要素を示すブロック図。
【詳細な説明】
【００１８】
[0032]添付の図面に関して以下に記載する詳細な説明は、様々な構成を説明するものであり、本明細書で説明する概念が実施され得る唯一の構成を表すものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１９】
[0033]様々な装置および方法に関して電気通信システムの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００２０】
[0034]例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、ディスクリートハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２１】
[0035]したがって、１つまたは複数の例示的な実施形態では、説明する機能は、ハードウェア、ソフトウェア、ファームウェア、またはそれらの任意の組合せで実装され得る。ソフトウェアで実装された場合、機能は、非一時的コンピュータ可読媒体上に記憶されるか、あるいは非一時的コンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００２２】
[0036]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２３】
[0001]Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端（control plane protocol termination）とを与える。ｅノードＢ１０６は、バックホール（たとえば、Ｘ２インターフェース）を介して他のｅノードＢ１０８に接続され得る。ｅノードＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２４】
[0037]ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２５】
[0038]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００２６】
[0039]アクセスネットワーク２００によって採用される変調および多元接続方式は、展開されている特定の電気通信規格に応じて異なり（vary）得る。ＬＴＥ適用例では、周波数分割複信（ＦＤＤ）と時分割複信（ＴＤＤ）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上無線アクセス（ＵＴＲＡ）、ＴＤＭＡを採用するモバイル通信用グローバルシステム（ＧＳＭ（登録商標））、ならびに、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＯＦＤＭＡを採用するＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２７】
[0040]ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００２８】
[0041]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２９】
[0042]以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために（to combat inter-OFDM-symbol interference）、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号（a DFT-spread OFDM signal）の形態で使用し得る。
【００３０】
[0043]図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００３１】
[0044]図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、単一のＵＥがデータセクション中の連続サブキャリアのすべてを割り当てられることを可能にし得る、連続サブキャリアを含むデータセクションを生じる。
【００３２】
[0045]ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００３３】
[0046]初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０はランダムシーケンスを搬送する。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試み（PRACH attempt）は単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３４】
[0047]図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００３５】
[0048]ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ（far end UE）、サーバなど）において終端されるアプリケーションレイヤとを含めてＬ２レイヤ５０８の上にいくつかの上位レイヤを有し得る。
【００３６】
[0049]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、複数のｅノードＢ間のＵＥに対するハンドオーバサポートとを提供する。ＲＬＣサブレイヤ５１２は、上位レイヤデータパケットのセグメンテーションおよび再組立て （reassembly）と、紛失データパケットの再送信と、ハイブリッド自動再送要求（ＨＡＲＱ：hybrid automatic repeat request）による、順が狂った受信（out-of-order reception）を補償するデータパケットの並べ替えとを提供する。ＭＡＣサブレイヤ５１０は、論理チャネルとトランスポートチャネルとの間の多重化を提供する。ＭＡＣサブレイヤ５１０はまた、複数のＵＥの間で１つのセル中の様々な無線リソース（たとえば、リソースブロック）を割り振ることを担当する。ＭＡＣサブレイヤ５１０はまたＨＡＲＱ動作を担当する。
【００３７】
[0050]制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００３８】
[0051]図６は、アクセスネットワーク中でＵＥ６５０と通信しているｅノードＢ６１０のブロック図である。ダウンリンクでは、コアネットワークからの上位レイヤパケットが、コントローラ／プロセッサ６７５に与えられる。コントローラ／プロセッサ６７５はＬ２レイヤの機能を実装する。ダウンリンクでは、コントローラ／プロセッサ６７５は、様々な優先度メトリック（priority metrics）に基づいて、ヘッダ圧縮と、暗号化と、パケットのセグメント化および並べ替えと、論理チャネルとトランスポートチャネルとの間の多重化と、ＵＥ６５０への無線リソース割振りとを提供する。コントローラ／プロセッサ６７５はまた、ＨＡＲＱ動作と、紛失パケットの再送信と、ＵＥ６５０へのシグナリングとを担当する。
【００３９】
[0052]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーション（signal constellations）へのマッピングとを可能にするために、コーディングとインターリービングとを含む。コーディングされ変調されたシンボルは、次いで、並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに組み合わされ（combined）て、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００４０】
[0053]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６にその情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、その情報に対して空間処理を実行する。複数の空間ストリームがＵＥ６５０に宛てられた場合、それらはＲＸプロセッサ６５６によって単一のＯＦＤＭシンボルストリームに組み合わされ得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号コンスタレーションポイントを判断することによって復元され、復調される。これらの軟判定は、チャネル推定器６５８によって計算されるチャネル推定値に基づき得る。軟判定は、次いで、物理チャネル上でｅノードＢ６１０によって最初に送信されたデータおよび制御信号を復元するために復号され、デインターリーブされる。データおよび制御信号は、次いでコントローラ／プロセッサ６５９に与えられる。
【００４１】
[0054]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離（demultiplexing）と、パケットリアセンブリ（packet reassembly）と、解読（deciphering）と、ヘッダ圧縮解除（decompression）と、制御信号処理とを提供する。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４２】
[0055]アップリンクでは、データソース６６７が、コントローラ／プロセッサ６５９に上位レイヤパケットを与えるために使用される。データソース６６７は、Ｌ２レイヤの上のすべてのプロトコルレイヤを表す。ｅノードＢ６１０によるダウンリンク送信に関して説明した機能と同様に、コントローラ／プロセッサ６５９は、ヘッダ圧縮と、暗号化と、パケットのセグメント化および並べ替えと、ｅノードＢ６１０による無線リソース割振りに基づく論理チャネルとトランスポートチャネルとの間の多重化とを提供することによって、ユーザプレーンおよび制御プレーンのためのＬ２レイヤを実装する。コントローラ／プロセッサ６５９はまた、ＨＡＲＱ動作と、紛失パケットの再送信と、ｅノードＢ６１０へのシグナリングとを担当する。
【００４３】
[0056]ｅノードＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４４】
[0057]アップリンク送信は、ＵＥ６５０における受信機機能に関して説明した方法と同様の方法でｅノードＢ６１０において処理される。各受信機６１８ＲＸは、それのそれぞれのアンテナ６２０を通して信号を受信する。各受信機６１８ＲＸは、ＲＦキャリア上に変調された情報を復元し、ＲＸプロセッサ６７０にその情報を与える。ＲＸプロセッサ６７０はＬ１レイヤを実装し得る。
【００４５】
[0058]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、解読と、ヘッダ圧縮解除と、制御信号処理とを提供する。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４６】
[0059]図７は、本開示の一態様による、異機種ネットワークにおけるＴＤＭ区分を示すブロック図である。ブロックの第１の行はフェムトｅノードＢのためのサブフレーム割当てを示し、ブロックの第２の行はマクロｅノードＢのためのサブフレーム割当てを示す。ｅノードＢの各々が静的保護サブフレーム（a static protected subframe）を有し、その間、他方のｅノードＢは静的禁止サブフレーム（a static prohibited subframe）を有する。たとえば、フェムトｅノードＢは、サブフレーム０中の禁止サブフレーム（Ｎサブフレーム）に対応するサブフレーム０中の保護サブフレーム（Ｕサブフレーム）を有する。同様に、マクロｅノードＢは、サブフレーム７中の禁止サブフレーム（Ｎサブフレーム）に対応するサブフレーム７中の保護サブフレーム（Ｕサブフレーム）を有する。サブフレーム１〜６は、保護サブフレーム（ＡＵ）、禁止サブフレーム（ＡＮ）、および共通サブフレーム（ＡＣ）のいずれかとして動的に割り当てられる。動的に割り当てられたサブフレーム（ＡＵ／ＡＮ／ＡＣ）を本明細書ではまとめて「Ｘ」サブフレームと呼ぶ。サブフレーム５および６中の動的に割り当てられた共通サブフレーム（ＡＣ）中に、フェムトｅノードＢとマクロｅノードＢの両方がデータを送信し得る。
【００４７】
[0060]保護サブフレーム（Ｕ／ＡＵサブフレームなど）では、アグレッサｅノードＢ（aggressor eNodeBs）が送信を禁止されるので、干渉が低減され、チャネル品質が高い。禁止サブフレーム（Ｎ／ＡＮサブフレームなど）では、ビクティムｅノードＢ（victim eNodeBs）が低い干渉レベルでデータを送信できるように、データが送信されない。共通サブフレーム（Ｃ／ＡＣサブフレームなど）では、チャネル品質は、データを送信するネイバーｅノードＢ（neighbor eNodeBs）の数に依存する。たとえば、ネイバーｅノードＢが共通サブフレーム上でデータを送信している場合、共通サブフレームのチャネル品質は保護サブフレームよりも低くなり得る。共通サブフレーム上のチャネル品質はまた、アグレッサｅノードＢによって強く影響を受けるセル範囲拡大（ＣＲＥ：cell range expansion）ＵＥではより低くなり得る。ＣＲＥ  ＵＥは、第１のｅノードＢに属し得るが、第２のｅノードＢのカバレージエリア中にも位置し得る。たとえば、フェムトｅノードＢカバレージの範囲限界の近くにあるマクロｅノードＢと通信しているＵＥは、ＣＲＥ  ＵＥである。
【００４８】
キャリアアグリゲーション（CARRIER AGGREGATION）
[0061]ＬＴＥアドバンストＵＥ（LTE-Advanced UEs）は、各方向において送信のために使用される最高合計１００Ｍｈｚ（５つのコンポーネントキャリア）のキャリアアグリゲーションにおいて割り振られた、最高２０Ｍｈｚ帯域幅のスペクトルを使用する。概して、アップリンク上ではダウンリンクよりも少ないトラフィックが送信され、したがって、アップリンクスペクトル割振りはダウンリンク割振りよりも小さくなり得る。たとえば、２０Ｍｈｚがアップリンクに割り当てられる場合、ダウンリンクは１００Ｍｈｚを割り当てられ得る。これらの非対称ＦＤＤ割当ては、スペクトルを節約し、ブロードバンド加入者による一般に非対称な帯域幅利用にぴったり合う。
【００４９】
[0062]ＬＴＥアドバンストモバイルシステムのために、２つのタイプのキャリアアグリゲーション（ＣＡ：carrier aggregation）方法、すなわち、連続ＣＡおよび非連続ＣＡが提案されている。それらを図８および図９に示す。非連続ＣＡは、複数の利用可能なコンポーネントキャリアが周波数帯域に沿って分離されたときに生じる（図９）。一方、連続ＣＡは、複数の利用可能なコンポーネントキャリアが互いに隣接するときに生じる（図８）。非連続ＣＡと連続ＣＡの両方は、ＬＴＥアドバンストＵＥの単一ユニットを処理（serve）するために複数のＬＴＥ／コンポーネントキャリアをアグリゲートする（aggregate）。
【００５０】
[0063]ＬＴＥアドバンストＵＥにおける非連続ＣＡでは、周波数帯域に沿ってキャリアが分離されるので、複数のＲＦ受信ユニットと複数のＦＦＴとが配備され得る。非連続ＣＡは、大きい周波数範囲にわたる複数の分離されたキャリア上でのデータ送信をサポートするので、周波数帯域が異なると、伝搬経路損失（propagation path loss）、ドップラーシフトおよび他の無線チャネル特性が大いに変わり得る。
【００５１】
[0064]したがって、非連続ＣＡ手法の下でブロードバンドデータ送信をサポートするために、異なるコンポーネントキャリアのためのコーディング、変調および送信電力を適応的に調整するための方法が使用され得る。たとえば、拡張ノードＢ（ｅノードＢ）が各コンポーネントキャリア上の送信電力を固定している（has fixed transmitting power）ＬＴＥアドバンストシステムでは、各コンポーネントキャリアの有効カバレージまたはサポート可能な変調およびコーディングが異なり得る。
【００５２】
[0065]図１０に、ＩＭＴアドバンストシステムのために媒体アクセス制御（ＭＡＣ）レイヤ（図５）において異なるコンポーネントキャリアからの送信ブロック（ＴＢ：transmission block）をアグリゲートすることを示す。ＭＡＣレイヤデータアグリゲーションでは、各コンポーネントキャリアは、ＭＡＣレイヤ中にそれ自体の独立したハイブリッド自動再送要求（ＨＡＲＱ）エンティティを有し、物理レイヤ中にそれ自体の送信構成パラメータ（たとえば、送信電力、変調およびコーディング方式、ならびに複数のアンテナ構成）を有する。同様に、物理レイヤでは、コンポーネントキャリアごとに１つのＨＡＲＱエンティティが与えられる。
【００５３】
[0066]概して、複数のコンポーネントキャリアの制御チャネルシグナリングを展開するための様々な手法がある。１つの手法は、ＬＴＥシステムにおける制御構造の軽微な変更を伴い、各コンポーネントキャリアは、それ自体のコード化制御チャネルを与えられる。
【００５４】
[0067]別の手法は、異なるコンポーネントキャリアの制御チャネルをジョイントコーディングし、専用のコンポーネントキャリア中に制御チャネルを展開することを伴う。複数のコンポーネントキャリアのための制御情報は、この専用制御チャネルにおいてシグナリングコンテンツとして統合される。その結果、ＬＴＥシステムにおける制御チャネル構造との後方互換性が維持されながら、ＣＡのシグナリングオーバーヘッドが低減する。
【００５５】
[0068]さらに別の手法では、異なるコンポーネントキャリアのための複数の制御チャネルがジョイントコーディングされ、次いで、周波数帯域全体にわたって送信される。この手法は、ＵＥ側における高い電力消費量という犠牲を払って、制御チャネルにおける低いシグナリングオーバーヘッドと高い復号性能とを提供する。ただし、この方法はＬＴＥシステムと互換性がない。
【００５６】
[0069]ＩＭＴアドバンストＵＥのためにＣＡが使用されるとき、複数のセルにわたるハンドオーバプロシージャ中に送信連続性（transmission continuity）をサポートすることが好ましい。しかしながら、特定のＣＡ構成およびサービス品質（ＱｏＳ）要件とともに、入来ＵＥ（incoming UE）のために十分なシステムリソース（すなわち、良好な送信品質をもつコンポーネントキャリア）を確保することが、次のｅノードＢにとって難しい（challenging）ことがある。理由は、２つ（またはそれ以上）の隣接セル（ｅノードＢ）のチャネル状態が特定のＵＥについて異なり得るからである。１つの手法では、ＵＥは、各隣接セルにおいてただ１つのコンポーネントキャリアのパフォーマンスを測定する。これは、ＬＴＥシステムにおけるのと同様の測定遅延、複雑さ、およびエネルギー消費を与える。対応するセルにおける他のコンポーネントキャリアのパフォーマンスの推定は、この１つのコンポーネントキャリアの測定結果に基づき得る。この推定に基づいて、ハンドオーバ決定および送信構成が判断され得る。
【００５７】
[0070]様々な例によれば、（キャリアアグリゲーションとも呼ばれる）マルチキャリアシステムにおいて動作しているＵＥは、「１次キャリア（primary carrier）」と呼ばれることがある、同じキャリア上で、制御機能およびフィードバック機能など、複数のキャリアのいくつかの機能をアグリゲートするように構成される。サポートのために１次キャリアに依存する残りのキャリアは、関連する２次キャリア（secondary carriers）と呼ばれる。たとえば、ＵＥは、随意の専用チャネル（ＤＣＨ：dedicated channel）、スケジュールされない許可（nonscheduled grants）、物理アップリンク制御チャネル（ＰＵＣＣＨ：physical uplink control channel）、および／または物理ダウンリンク制御チャネル（ＰＤＣＣＨ：physical downlink control channel）によって提供される制御機能などの制御機能をアグリゲートし得る。シグナリングおよびペイロードは、ダウンリンク上でｅノードＢによってＵＥに、ならびにアップリンク上でＵＥによってｅノードＢに送信され得る。
【００５８】
[0071]いくつかの例では、複数の１次キャリアが存在し得る。さらに、ＬＴＥ  ＲＲＣプロトコルの３ＧＰＰ技術仕様３６．３３１におけるものなど、レイヤ２およびレイヤ３プロシージャである無線リンク障害（ＲＬＦ：radio link failure）プロシージャおよび物理チャネル確立を含む、ＵＥの基本動作に影響を及ぼすことなしに、２次キャリアが追加または削除され得る。
【００５９】
[0072]図１１に、一例による、物理チャネルをグループ化することによって複数キャリアワイヤレス通信システムにおいて無線リンクを制御するための方法１１００を示す。図示のように、本方法は、ブロック１１０５において、１次キャリアと、１つまたは複数の関連する２次キャリアとを形成するために、少なくとも２つのキャリアからの制御機能を１つのキャリア上にアグリゲートすることを含む。次にブロック１１１０において、１次キャリアと各２次キャリアとのための通信リンクを確立する。次いで、ブロック１１１５において、１次キャリアに基づいて通信を制御する。
【００６０】
レガシーキャリアタイプと新しいキャリアタイプとの間の共存
[0073]ＬＴＥリリース１１の前に定義されたキャリアタイプはレガシーキャリアタイプ（ＬＣＴ：legacy carrier type）と呼ばれる。ＬＴＥリリース１１は、キャリアアグリゲーションのコンテキストに新しいキャリアタイプ（ＮＣＴ：new carrier type）を導入した。ＮＣＴは後方互換性がない。本開示の態様は、同じキャリアを使用してＬＣＴ  ＵＥとＮＣＴ  ＵＥとを多重化するように、単一のキャリアで事業者を構成する（configuring an operator with a single carrier）ことを対象とする。本開示の別の態様は、同じキャリア上で２つの異なる方式を動作させるように、単一のキャリアで事業者を構成することを対象とする。
【００６１】
[0074]ＮＣＴは、新しい検出および／または収集信号（acquisition signals）を指定していない。しかし、ＮＣＴは、既存の信号の新しい時間および／または周波数構成を指定することがある。さらに、非同期の新しいキャリアについて、１次同期信号および２次同期信号（ＰＳＳ／ＳＳＳ：primary synchronization signal/secondary synchronization signal）シーケンスが送信される。一構成では、ＬＣＴ  ＵＥがＮＣＴのＰＳＳ／ＳＳＳを収集する（acquiring）のを防止することが望ましいことがある。
【００６２】
[0075]ＮＣＴは、５ｍｓ周期で１つのサブフレーム内で１つの基準信号（ＲＳ：reference signal）ポートを搬送し得る。基準信号ポートは、各物理リソースブロック（ＰＲＢ：physical resource block）およびリリース８シーケンスについてリリース８ＣＲＳポート０リソース要素（ＲＥ：resource element）（Release 8 CRS Port 0 resource elements (REs)）を含み得る。ＮＣＴのための基準信号（ＲＳ）ポートは復調のために使用されない。ＮＣＴの帯域幅は、全システム帯域幅（ＢＷ：bandwidth）（a full system bandwidth）であり、最小帯域幅であり、および／または全システム帯域幅と最小帯域幅との間で構成可能であり得る。最小帯域幅は、以下の式、すなわち、（ｍｉｎ（システムＢＷ，Ｘ）に基づいて選択され得、ここで、Ｘは｛６，２５｝個のリソースブロック（ＲＢ：resource block）から選択される。共通基準信号は、すべてのサブフレーム上でまたは全帯域幅にわたって送信しない。
【００６３】
[0076]場合によっては、ＰＳＳ／ＳＳＳの時間周波数ロケーションを変更することにより、新しいキャリアの収集が防止され、セル間干渉協調（ＩＣＩＣ：inter-cell interference coordination）が影響を受け、中心の６つの物理リソースブロック（ＰＲＢ）における復調基準信号（ＤＭ−ＲＳ：demodulation reference signal）回避（avoidance）が促進され得る。ＰＳＳ／ＳＳＳを修正するとき、ＰＳＳ／ＳＳＳパフォーマンスが考慮に入れられる。
【００６４】
[0077]本開示の一態様は、ＮＣＴとＬＣＴとの間の共存および遷移を対象とする。一構成では、ＮＣＴとＬＣＴとの共存全体にわたってスペクトル互換性が維持される。その上、この構成では、ＮＣＴとＬＣＴとの間の遷移全体にもわたってスペクトル互換性が維持される。別の構成では、事業者が２つ以上のキャリアを有するとき、キャリアは区分され得る。さらに、場合によっては、異なるユーザのためのＮＣＴとＬＣＴとの間のロードバランシングが実行され得る。別の構成では、システムスループットを改善するために、ＮＣＴおよびＬＣＴ方式が適応的に適用される。
【００６５】
[0078]本開示の一態様は、ＮＣＴとＬＣＴとの間の共存を改善するための周波数分割多重化（ＦＤＭ：frequency division multiplexing）適用を対象とする。事業者が複数のキャリア（たとえば、｛ｆ１，ｆ２，ｆ３，．．．｝）を有するシステムでは、ＮＣＴとＬＣＴとの共存がサポートされ得る。たとえば、第１のキャリアｆ１および第２のキャリアｆ２をもつ２キャリアシステムにおける以下の構成のための共存がサポートされ得、ここで、ＰＣＣは１次コンポーネントキャリアであり、ＳＣＣは２次コンポーネントキャリアであり、ＬＣＴはレガシーキャリアタイプであり、ＮＣＴは新しいキャリアタイプである。
【００６６】
[0079]  f1 (LCT, PCC) + f2 (LCT, SCC) − リリース１０キャリアアグリゲーション（ＣＡ）;
[0080]  f1 (LCT, PCC) + f2 (NCT, SCC) − リリース１１ＣＡ;
[0081]  f1 (NCT, PCC) + f2 (LCT, SCC) − リリース１２ＣＡ; および
[0082]  f1 (NCT, PCC) + f2 (NCT, SCC) − リリース１２ＣＡ
[0083]ＬＴＥリリース１２より前のＬＴＥリリースでは、ＬＣＴはアンカーキャリア（anchor carrier）として指定される。さらに、ＬＣＴのダウンリンク制御チャネルのためにクロスキャリアスケジューリング（cross carrier scheduling）がサポートされる。クロスキャリアスケジューリングでは、異なるキャリアの送信がアンカーキャリアからスケジュールされる。ＬＴＥリリース１２では、ＮＣＴはアンカーキャリアとして指定され得、拡張ダウンリンク制御チャネルベースのクロスキャリアスケジューリングがサポートされる。代替的に、拡張ダウンリンク制御チャネル（ｅＰＤＣＣＨ：enhanced downlink control channel）のためにクロスキャリアスケジューリングが指定されないことがあるが、ＮＣＴ１次コンポーネントキャリア（ＰＣＣ：primary component carrier）は、ＰＵＣＣＨなどのアップリンク制御チャネルを搬送し得る。
【００６７】
[0084]一構成では、ＴＤＭはＮＣＴ上でＬＣＴ  ＵＥを可能にする。この構成では、ＮＣＴは、測定が制限された１次コンポーネントキャリア（a primary component carrier with restricted measurements）として構成される。測定制限はＬＣＴ  ＵＥに適用される。詳細には、ＬＣＴ  ＵＥは一般にサブフレームごとにＣＲＳを測定するので、測定制限はＬＣＴ  ＵＥに適用され得る。より詳細には、ＮＣＴ上で機能すべきＬＣＴ  ＵＥの場合、ＬＣＴ  ＵＥはサブフレームごとに測定することができない。測定制限は、ＬＣＴモードを出ることなしに、ＣＲＳを測定しないようにＬＣＴ  ＵＥに命令する。ＬＣＴ  ＵＥをサービスするサブフレームでは、全帯域幅（full bandwidth）共通基準信号（ＣＲＳ：common reference signal）に加えてダウンリンク制御チャネルが指定される。
【００６８】
[0085]本出願では、ＬＣＴ  ＵＥは、時々、レガシーＵＥと呼ばれることがある。さらに、ＮＣＴ  ＵＥは、時々、新しいＵＥと呼ばれることがある。
【００６９】
[0086]本開示の別の態様は、ＮＣＴとＬＣＴとへの時分割多重化（ＴＤＭ：time division multiplexing）の適用を対象とする。同じキャリア上でＮＣＴとＬＣＴの両方をサポートするためにＴＤＭが適用され得る。一構成では、測定されるべきでないサブフレームは、別のタイプのサブフレームとしてマスクされ得る。サブフレームのマスキングは、異機種ネットワークのオールモスト・ブランク・サブフレーム（ＡＢＳ：almost blank subframe）機能と同様であり得る。すなわち、ＡＢＳ機能は、ＵＥが特定のサブフレームを測定すべきでないことを指定する。
【００７０】
[0087]ＴＤＭ適用において、キャリアはＬＣＴサブフレームとＮＣＴサブフレームの両方を含み得るが、キャリアはＮＣＴまたはＬＣＴとして宣言され得る。すなわち、いくつかのサブフレームは、ＬＣＴとして宣言されるが、ＮＣＴに準拠する（conform to the NCT）。一構成では、キャリアは、クリーンサブフレームと非クリーンサブフレーム（clean and non-clean subframes）（たとえば、オールモスト・ブランク・サブフレーム（ＡＢＳ））とのためにＨｅｔＮｅｔと同様のサブフレームプロシージャを制限することによって、いくつかのサブフレームのために宣言されたキャリアタイプとは異なるキャリアタイプとして宣言され得る。
【００７１】
[0088]図１２Ａは、本開示の一態様による、サブフレームネットワークのＮＣＴおよびＬＣＴ区分を示すブロック図である。たとえば、ＬＣＴ  ＵＥは、ＮＣＴ  ＵＥがサブフレームの第１のセット上で信号を送信し得るようにサブフレームの第１のセットが制限されると、命令され得る。図１２Ａに示すように、サブフレーム５〜９（ＳＦ５〜ＳＦ９）はＮＣＴサブフレームとして宣言され得、したがって、ＬＣＴ  ＵＥは、サブフレーム５〜９が制限付きサブフレーム（restricted subframes）であると命令され得る。さらに、ＮＣＴ  ＵＥは、サブフレームの第２のセットが制限されると命令され得る。したがって、ＮＣＴ  ＵＥはサブフレームの第２のセットを使用せず、ＬＣＴ信号はサブフレームの第２のセットを介して送信される。図１２Ａに示すように、サブフレーム０〜４（ＳＦ０〜ＳＦ４）はＬＣＴサブフレームとして宣言され得、したがって、ＮＣＴ  ＵＥは、サブフレーム０〜９が制限付きサブフレームであると命令され得る。
【００７２】
[0089]図１２Ｂは、本開示の別の態様による、サブフレームネットワークのＮＣＴおよびＬＣＴ区分を示すブロック図である。別の構成では、図１２Ｂに示されているように、サブフレーム０および５上でＬＣＴ信号（ＰＳＳ／ＳＳＳおよびＣＲＳ）が送信される。ＮＣＴ  ＵＥとＬＣＴ  ＵＥの両方がサブフレーム０、５を認識し、読み取り得る。ＮＣＴ  ＵＥはサブフレーム１（ＳＦ１）上でスケジュールされず、ＬＣＴ  ＵＥがＳＦ１を読み取ることになる。ＮＣＴ  ＵＥはＳＦ１のためにスケジュールされないので、ＮＣＴ  ＵＥはＳＦ１を読み取らないことになる。ＬＣＴ  ＵＥは、ＬＣＴ  ＵＥがＳＦ２を読み取らないように、ＳＦ２が制限付きサブフレームであると命令される。次いで、ＮＣＴ  ＵＥがＳＦ２を読み取ることになる。残りのサブフレームは、ネットワークの構成に基づいてＮＣＴサブフレームまたはＬＣＴサブフレーム（ＬＣＴ／ＮＣＴ）のいずれかとして指定され得る。
【００７３】
[0090]別の構成では、ＬＣＴ波形とＮＣＴ波形とを直交させる（orthogonalize）ために、オールモスト・ブランク・サブフレーム（ＡＢＳ）、マルチブロードキャスト単一周波数ネットワーク（ＭＢＳＦＮ：multi-broadcast single frequency network）サブフレーム、および／または不連続受信（ＤＲＸ：discontinues reception）サブフレームに制限付き測定（a restricted measurement）が適用され得る。パーティション（partition）は、ＬＣＴ端末とＮＣＴ端末とのローディングに応じて時間とともに変化し得る。現在、ＴＤＭ区分（TDM partitioning）は接続状態に限定されている。しかし、この概念は、完全な分割（a complete split）のためにアイドル状態に拡張され得る。さらに、ＮＣＴ動作は、ＬＣＴチャネルのないブランクサブフレームとして効果的に働くＭＢＳＦＮサブフレームと同様のＬＣＴキャリアにおいて広告され得る。別の構成では、ＴＤＭ適用は、何らかの互換性のない特徴の共存を与えるためにＬＣＴおよびＮＣＴ以外に拡張される。
【００７４】
[0091]ＴＤＭ区分は、サポートされるサブフレームタイプに基づき得る。一構成では、５つのタイプのサブフレームが指定される。詳細には、２つのタイプのサブフレームがＬＣＴ  ＵＥをサポートし、３つのタイプのサブフレームがＮＣＴ  ＵＥをサポートする。この例では、ＬＣＴ  ＵＥは、ＬＴＥリリース８〜１０に従って構成されたＵＥである。
【００７５】
[0092]ＬＣＴ  ＵＥをサポートする２つのタイプのサブフレームは、タイプ１およびタイプ２のサブフレームであり得る。すなわち、タイプ１（ＳＦ１）は、制御領域と共通基準信号（ＣＲＳ）とをもつＭＢＳＦＮサブフレームである。さらに、タイプ２サブフレーム（ＳＦ２）は、少なくとも１ポートＣＲＳをもつ非ＭＢＳＦＮサブフレームである。さらに、タイプ２サブフレームは、ＬＣＴ制御を用いて、少なくともいくつかのＵＥのためにＣＲＳベースの復調を可能にする。
【００７６】
[0093]ＮＣＴ  ＵＥをサポートするサブフレームの３つのタイプは、タイプ３、タイプ４、およびタイプ５のサブフレームであり得る。すなわち、タイプ３サブフレーム（ＳＦ３）は、ＬＣＴ制御領域をもたないＭＢＳＦＮサブフレームを含む。タイプ４サブフレーム（ＳＦ４）は、１ポートＣＲＳをもつ非ＭＢＳＦＮサブフレームを含む。さらに、タイプ４サブフレームは、ＣＲＳベースの物理ダウンリンク共有チャネル（ＰＤＳＣＨ：physical downlink shared channel）を有しない。その上、タイプ４サブフレームはＬＣＴ制御を有しない。タイプ４サブフレームは、ＮＣＴのためのＰＳＳ／ＳＳＳ／ＣＲＳをもつサブフレーム０および５（ＳＦ０、ＳＦ５）と同様である。さらに、タイプ５サブフレーム（ＳＦ５）は、どんなＣＲＳをもたず、およびＬＣＴ制御領域をもたない非ＭＢＳＦＮサブフレームを含む。さらに、一構成では、ＮＣＴのこれら３つのタイプのサブフレームの送信は、拡張ダウンリンク制御チャネル（ｅＰＤＣＣＨ）と共有ダウンリンクチャネル（ＰＤＳＣＨ：shared downlink channel）とのための第１のシンボルから開始し得る。
【００７７】
[0094]ＬＴＥリリース１１のために指定されたＵＥは拡張制御チャネル（ｅＰＤＣＣＨ）をサポートし得る。したがって、ＮＣＴのための３つのサブフレームタイプ（すなわち、タイプ４、５および６）はＬＴＥリリース１１ＵＥによってもサポートされ得る。詳細には、ＬＴＥリリース１１ＵＥは、拡張制御チャネルがＣＲＳの周辺でレートマッチングすることができるかあるいはＣＲＳによってパンクチャされ得る場合、ＮＣＴのためのこれらの３つのサブフレームタイプを使用し得る。
【００７８】
[0095]一構成では、ＬＣＴおよびＮＣＴへのＴＤＭ適用（TDM application）は、ＬＣＴ  ＵＥとＮＣＴ  ＵＥとの間で５つの異なるサブフレームタイプを区分することが生じる。ＴＤＭ適用はまた、トラフィック条件とローディング条件とを満たす（meet traffic and loading conditions）ためにフレキシブルな適応を指定し得る。ＮＣＴ  ＵＥとＬＣＴ  ＵＥの両方は、無線リンク管理（ＲＬＭ：radio link management）、無線リソース管理（ＲＲＭ：radio resource management）、および／またはチャネル状態情報（ＣＳＩ：channel state information）への影響を低減するために、制限付き測定を使用し得る。
【００７９】
[0096]一構成では、アップリンク構成は同じままである。したがって、ＬＣＴおよびＮＣＴは、同じＬＣＴアップリンクに関連するダウンリンク通信において動作し得る。
【００８０】
[0097]本開示の別の態様は、１次同期信号／２次同期信号（ＰＳＳ／ＳＳＳ）構成を対象とする。ＰＳＳ／ＳＳＳがＮＣＴとＬＣＴの両方について同じである場合、ＮＣＴ  ＵＥとＬＣＴ  ＵＥの両方は、ＮＣＴとＬＣＴの両方からタイミングおよび物理セル識別子（ＰＣＩ：physical cell identifier）を収集し得る。
【００８１】
[0098]代替的に、ＮＣＴ  ＵＥのために異なるＰＳＳ／ＳＳＳが送信される場合、両方のタイプのＵＥが同じキャリアにアクセスし得るように、ＰＳＳ／ＳＳＳはＮＣＴ  ＵＥとＬＣＴ  ＵＥの両方のために複製される（duplicated）。一構成では、ＰＳＳロケーションは同じであり、ＳＳＳロケーションのみが（たとえば、１つはＮＣＴのために、および１つはＬＣＴのために）複製される。
【００８２】
[0099]別の構成では、ＰＳＳとＳＳＳの両方が、ＮＣＴとＬＣＴの両方について同じに保たれる。しかし、それらの２つのキャリアタイプを区別するためにＣＲＳのシーケンスマッピングは変更され得る。たとえば、ＬＣＴ  ＵＥは、最初にＰＳＳを探索し、次いでＳＳＳを探索し得る。ＬＣＴ  ＵＥは、セルＩＤとサイクリックプレフィックス（ＣＰ：cyclic prefix）タイプとを検出するためにＳＳＳを探索する。
【００８３】
[00100]ＮＣＴおよびＬＣＴにおいてＳＳＳが別様に配置される場合、ＬＣＴ  ＵＥは、何らかの無関係な情報（non-relevant information）を見つけ得るが、いくつかの候補セルＩＤを与える（deliver）ことが依然として可能であり得る。たとえば、場合によっては、しきい値が指定されないことがあり、したがって、ＳＳＳ検出は、１つまたは複数の候補を与えることになる。
【００８４】
[00101]ＰＳＳおよびＳＳＳを探索した後に、ＵＥは基準信号受信電力（ＲＳＲＰ：reference signal received power）測定を開始し得る。ＲＳＲＰ測定中に、ＵＥは、無関係な測定値（non-relevant measurements）を検出し得る。とはいえ、これらの無関係な測定値は経時的にドロップされ得る。無関係な測定値は、Ｓ基準（S-criteria）を満たさない測定値であり得る。Ｓ基準はセル選択基準を指し、すなわち、受信信号がしきい値を超えるかどうかを判断するために受信信号が評価される。
【００８５】
[00102]場合によっては、ＰＳＳ／ＳＳＳロケーションが維持され、ＣＲＳシーケンスがリマッピングされたとき、ＬＣＴ  ＵＥは、依然としてＲＳＲＰを測定することに進むことになる。ＰＳＳ／ＳＳＳロケーションとＣＲＳマッピングとがサブフレーム０および５について維持される場合、ＬＣＴ  ＵＥはＲＳＲＰ測定値を取得し得る。しかし、ＵＥがサブフレーム０または５以外のサブフレームを選択した場合、ＲＳＲＰ測定値は特定のｄＢ値だけオフになり（off）得る。したがって、ＬＣＴ  ＵＥは、ＮＣＴで機能しない（not function with the NCT）ことがある。
【００８６】
[00103]別の例では、共通基準信号（ＣＲＳ）帯域幅が１０ＭＨｚシステム（５０個のＲＢ）中の２５個のリソースブロック（ＲＢ）である場合、上側または下側の２５個のＲＢを占有するためにＣＲＳのロケーションをシフトすることが可能である。
【００８７】
[00104]したがって、一構成では、ＮＣＴ  ＵＥはＬＣＴ  ＵＥとしてネットワークにアクセスし得る。しかし、ＮＣＴ  ＵＥは、ＮＣＴロケーションおよび／またはランダムアクセスチャネルリソースを判断するためにシステム情報ブロック（ＳＩＢ：system information block）を介して情報を取得し得る。
【００８８】
[00105]本開示の別の態様は、アイドルモード考慮事項（idle mode considerations）を対象とする。ＬＣＴとＮＣＴとの間で２次コンポーネントキャリア（ＳＣＣ：secondary component carrier）がＴＤＭされるキャリアアグリゲーションの場合、接続状態中にトラフィック問題が解決される必要があり得る。ＬＣＴとＮＣＴとがＴＤＭされるシングルキャリア動作では、アイドル状態中に、ＮＣＴ  ＵＥのためのページングオケージョン（paging occasion）、およびフレーム構造をシフトすること（shifting frame structur）などについて追加の問題が存在する。
【００８９】
[00106]特に、ネットワークローディングに応じて、サブフレーム４、４および９、または４、９、０、および５においてページングオケージョンが定義される。ＬＣＴ  ＵＥは、国際モバイル加入者識別情報（ＩＭＳＩ：international mobile subscriber identity）に基づいてページングオケージョンにハッシングされる。したがって、ワーストケースシナリオでは、サブフレーム４はＬＣＴ動作のために利用可能である。一構成では、ＮＣＴ  ＵＥは、ＬＣＴ  ＵＥとしてサブフレームの直交するセット（an orthogonal set）上でページングされる（すなわち、直交する時間（orthogonal time）上でページングする）オプションを有する。しかし、新しいハッシング関数が定義され得る。
【００９０】
[00107]一構成では、ＮＣＴ  ＵＥのためにフレーム構造がシフトされる。フレーム構造シフトは、ＵＥの第１のセットが第１のタイミングを有するように、およびＵＥの第２のセットが第２のタイミングを有するように指定し得る。さらに、異なる送信モードにより、ＳＩＢの供給（deliver）、無線リンク監視、および他のプロシージャも分離され得る。
【００９１】
[00108]本開示のさらに別の態様では、組み合わせられたＴＤＭとＦＤＭとの適用が指定される。たとえば、いくつかのサブフレームのためにＴＤＭが適用され得、他のサブフレームのためにＦＤＭが適用され得る。特に、キャリア内でＮＣＴとＬＣＴとの間で最初にＴＤＭが適用され得、次いで、いくつかのサブフレームのためにＮＣＴとＬＣＴとの間でＦＤＭが適用される。
【００９２】
[00109]代替的に、別の構成では、ダウンリンクサブフレームのためにＴＤＭが適用され、アップリンクサブフレームのためにＦＤＭが適用される。一例では、アップリンクサブフレームのためにＮＣＴ  ＵＥとＬＣＴ  ＵＥとの間でＦＤＭをし、一方、ダウンリンクサブフレームのためにＴＤＭすることを維持する。
【００９３】
[00110]本開示の別の態様は、異なる適応帯域幅構成を対象にする。たとえば、ＬＣＴは、ＮＣＴ  ＵＥのために使用される実際の帯域幅とは異なる（たとえば、より小さい）帯域幅を広告し（advertise）得る。さらに、ＬＣＴとＮＣＴとの間のフレキシブルな切替えを可能にするために帯域幅が経時的に調整され得る。同様に、アップリンク帯域幅は、ＬＣＴのシステム情報ブロック（ＳＩＢ）中で広告され得、ネットワークに適応するために変化し得る。
【００９４】
[00111]本開示の別の態様は、ＮＣＴとＬＣＴとのための同じキャリア内のＦＤＭを対象とする。たとえば、ＬＣＴ  ＵＥは５ＭＨｚスペクトルを通知され、一方、ＮＣＴ  ＵＥは２０ＭＨｚスペクトルを通知される。
【００９５】
[00112]場合によっては、ＬＣＴ  ＵＥは、ＣＲＳがＬＴＥリリース８において指定されているのと同じ構造であるので、測定を正しく実行し得る。特に、ＣＲＳは、ＳＩＢ−３中でおよびＬＣＴ上のＭｅａｓＯｂｊｅｃｔＥＵＴＲＡ中でシグナリングされる許容測定帯域幅（「ＡｌｌｏｗｅｄＭｅａｓＢａｎｄｗｉｄｔｈ」）にわたる。たとえば、ＡｌｌｏｗｅｄＭｅａｓＢａｎｄｗｉｄｔｈ：：＝ＥＮＵＭＥＲＡＴＥＤ｛ｍｂｗ６，ｍｂｗ１５，ｍｂｗ２５，ｍｂｗ５０，ｍｂｗ７５，ｍｂｗ１００｝。すなわち、ＵＥは、ＲＢの数に関して測定の許容帯域幅（allowed bandwidth for measurements）をシグナリングされ得る。たとえば、ｍｂｗ６は６つのＲＢの測定帯域幅であり、ｍｂｗ１５は１５個のＲＢの測定帯域幅である、などである。したがって、ＮＣＴがＣＲＳを帯域幅全体において送信しない場合、ＬＣＴ  ＵＥは、測定を実行するために許容帯域幅をシグナリングされる。さらに、ＡｌｌｏｗｅｄＭｅａｓＢａｎｄｗｉｄｔｈは、ＬＣＴ  ＵＥにシグナリングされ、ＮＣＴ中のＣＲＳのスパンと整合する（matches the span of CRS）。
【００９６】
[00113]本開示の別の態様は、セル検出を確認するために物理ブロードキャストチャネル（ＰＢＣＨ：physical broadcast channel）を読み取るＬＣＴ  ＵＥを対象とする。物理ブロードキャストチャネルは、ＬＣＴ構造と同じである構造でＮＣＴにおいて送信され得る。場合によっては、物理ブロードキャストチャネルは、ＬＣＴ  ＵＥのためにＬＣＴフォーマットを用いて複製され得る。
【００９７】
[00114]図１３に、レガシーキャリアタイプと新しいキャリアタイプとの間の共存のための方法１３００を示す。ブロック１３０２において、ｅノードＢがキャリア上でリソースを送信する。リソースは、第１のキャリアタイプに関連するリソースの第１のセットと、第２のキャリアタイプに関連するリソースの第２のセットとを含む。キャリアは、通信のために使用される周波数帯域である。さらに、リソースはサブフレームおよび／またはサブバンドを含み得る。第１のキャリアタイプはレガシーキャリアタイプであり得、第２のキャリアタイプは新しいキャリアタイプであり得る。
【００９８】
[00115]ｅノードＢは、ブロック１３０４において、キャリアが第１のキャリアタイプまたは第２のキャリアタイプのいずれかであることを示す。一構成では、この指示は、キャリアを第２のキャリアタイプとして示すためにマスタ情報ブロック（ＭＩＢ：master information block）またはシステム情報ブロック（ＳＩＢ）中で予約済みビット（a reserved bit）をシグナリングすることに基づき得る。別の構成では、指示は、第１のキャリアタイプと第２のキャリアタイプとのために指定された周波数帯域に基づき得る。
【００９９】
[00116]さらに、ｅノードＢは、ブロック１３０６において、ＵＥの動作をリソースの第１のセットまたはリソースの第２のセットに制限する。一構成では、この制限は、ページングオケージョンの監視のための制限である。別の構成では、この制限は測定の制限である。
【０１００】
[00117]図１４に、レガシーキャリアタイプと新しいキャリアタイプとの間の共存のための方法１４００を示す。ブロック１４０２において、ＵＥがキャリア上でリソースを受信する。リソースは、第１のキャリアタイプに関連するリソースの第１のセットと、第２のキャリアタイプに関連するリソースの第２のセットとを含む。キャリアは、通信のために使用される周波数帯域である。さらに、リソースはサブフレームおよび／またはサブバンドを含み得る。第１のキャリアタイプはレガシーキャリアタイプであり得、第２のキャリアタイプは新しいキャリアタイプであり得る。
【０１０１】
[00118]ＵＥは、ブロック１４０４において、キャリアが第１のキャリアタイプであるか第２のキャリアタイプであるかを判断する。一構成では、この判断は、キャリアを第２のキャリアタイプとして示すためのマスタ情報ブロック（ＭＩＢ）またはシステム情報ブロック（ＳＩＢ）中の予約済みビットに基づき得る。別の構成では、指示は、第１のキャリアタイプと第２のキャリアタイプとのために指定された周波数帯域に基づき得る。
【０１０２】
[00119]さらに、ＵＥは、ブロック１４０６において、リソースの第１のセットまたはリソースの第２のセットへの動作の制限を受信する。一構成では、この制限は、ページングオケージョンの監視のための制限である。別の構成では、この制限は測定の制限である。
【０１０３】
[00120]図１５は、例示的な装置１５００中の異なるモジュール／手段／構成要素間のデータフローを示す概念データフロー図である。装置１５００は、キャリアが第１のキャリアタイプであるか第２のキャリアであるかを示す指示モジュール１５０４を含む。装置１５００はまた、リソースの第１のセットまたはリソースの第２のセットにＵＥの動作を制限する制限モジュール１５０６を含む。装置１５００は送信モジュール１５０８を含む。送信モジュール１５０８はキャリア上でリソースを送信する。キャリアは、送信モジュール１５０８を介して送信される信号１５１２であり得る。リソースは、第１のキャリアタイプに関連するリソースの第１のセットと、第２のキャリアタイプに関連するリソースの第２のセットとを含む。さらに、指示モジュール１５０４は、信号１５１２を介して指示を送信するように送信モジュール１５０８を制御し得る。その上、制限モジュール１５０６は、信号１５１２を介して制限を送信するように送信モジュールを制御し得る。本装置は、図１３の上述のフローチャート中のプロセスのステップの各々を実行する追加のモジュールを含み得る。したがって、図１３の上述のフローチャート中の各ステップは任意のモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１０４】
[00121]図１６は、例示的な装置１６００中の異なるモジュール／手段／構成要素間のデータフローを示す概念データフロー図である。装置１６００は、キャリア上でリソースを受信する受信モジュール１６０６を含む。リソースは、第１のキャリアタイプに関連するリソースの第１のセットと、第２のキャリアタイプに関連するリソースの第２のセットとを含む。キャリアは、受信モジュール１６１０において受信される信号１６１０であり得る。装置１６００はまた、キャリアが第１のキャリアタイプであるか第２のキャリアタイプであるかを判断する判断モジュール１６０２を含む。この判断は、受信モジュールにおいて受信される信号１６１０を介して受信される指示に基づいて実行され得る。受信モジュールはまた、信号１６１０を介して制限を受信し得る。この制限は、装置１６００の動作をリソースの第１のセットまたはリソースの第２のセットに制限し得る。本装置は、図１４の上述のフローチャート中のプロセスのステップの各々を実行する追加のモジュールを含み得る。したがって、図１４の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１０５】
[00122]図１７は、処理システム１７１４を採用する装置１７００のためのハードウェア実装形態の一例を示す図である。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスおよびブリッジを含み得る。バス１７２４は、プロセッサ１７２２、モジュール１７０２、１７０４、１７０６および、コンピュータ可読媒体１７２６によって表される１つまたは複数のプロセッサおよび／またはハードウェアモジュールを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明しない。
【０１０６】
[00123]本装置は、トランシーバ１７３０に結合された処理システム１７１４を含む。トランシーバ１７３０は、１つまたは複数のアンテナ１７２０に結合される。トランシーバ１７３０は、伝送媒体を介して様々な他の装置と通信することを可能にする。処理システム１７１４は、コンピュータ可読媒体１７２６に結合されたプロセッサ１７２２を含む。プロセッサ１７２２は、コンピュータ可読媒体１７２６に記憶されたソフトウェアの実行を含む一般的な処理を担当する。ソフトウェアは、プロセッサ１７２２によって実行されたとき、処理システム１７１４に、いずれかの特定の装置について説明された様々な機能を実行させる。コンピュータ可読媒体１７２６はまた、ソフトウェアを実行するときにプロセッサ１７２２によって操作されるデータを記憶するために使用され得る。
【０１０７】
[00124]処理システム１７１４は、キャリア上でリソースを送信するための送信モジュール１７０２を含む。処理システム１７１４はまた、キャリアが第１のキャリアタイプまたは第２のキャリアタイプのいずれかであることを示すための指示モジュール１７０４を含む。処理システム１７１４はさらに、ＵＥの動作をリソースの第１のセットまたはリソースの第２のセットに制限するための制限モジュール１７０６を含み得る。それらのモジュールは、プロセッサ１７２２中で動作し、コンピュータ可読媒体１７２６中に常駐する／記憶された、ソフトウェアモジュールであるか、プロセッサ１７２２に結合された１つまたは複数のハードウェアモジュールであるか、またはそれらの何らかの組合せであり得る。処理システム１７１４は、ＵＥ６５０の構成要素であり得、メモリ６６０、および／またはコントローラ／プロセッサ６５９を含み得る。
【０１０８】
[00125]図１８は、処理システム１８１４を採用する装置１８００のためのハードウェア実装形態の一例を示す図である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続バスおよびブリッジを含み得る。バス１８２４は、プロセッサ１８２２、モジュール１８０２、１８０４および、コンピュータ可読媒体１８２６によって表される１つまたは複数のプロセッサおよび／またはハードウェアモジュールを含む様々な回路を互いにリンクする。バス１８２４はまた、タイミングソース、周辺機器、電圧調整器、および電力管理回路など、様々な他の回路をリンクし得るが、これらの回路は当技術分野においてよく知られており、したがって、これ以上説明しない。
【０１０９】
[00126]本装置は、トランシーバ１８３０に結合された処理システム１８１４を含む。トランシーバ１８３０は、１つまたは複数のアンテナ１８２０に結合される。トランシーバ１８３０は、伝送媒体を介して様々な他の装置と通信することを可能にする。処理システム１８１４は、コンピュータ可読媒体１８２６に結合されたプロセッサ１８２２を含む。プロセッサ１８２２は、コンピュータ可読媒体１８２６に記憶されたソフトウェアの実行を含む一般的な処理を担当する。ソフトウェアは、プロセッサ１８２２によって実行されたとき、処理システム１８１４に、いずれかの特定の装置について説明された様々な機能を実行させる。コンピュータ可読媒体１８２６はまた、ソフトウェアを実行するときにプロセッサ１８２２によって操作されるデータを記憶するために使用され得る。
【０１１０】
[00127]処理システム１８１４は、キャリア上のリソースのための受信モジュール１８０２を含む。受信モジュール１８０２はまた、リソースの第１のセットまたはリソースの第２のセットへの処理システム１８１４の動作の制限を受信し得る。処理システム１８１４はまた、キャリアが第１のキャリアタイプであるか第２のキャリアタイプであるかを判断するための判断モジュール１８０４を含む。それらのモジュールは、プロセッサ１８２２中で動作し、コンピュータ可読媒体１８２６中に常駐する／記憶された、ソフトウェアモジュールであるか、プロセッサ１８２２に結合された１つまたは複数のハードウェアモジュールであるか、またはそれらの何らかの組合せであり得る。処理システム１８１４は、ＵＥ６５０の構成要素であり得、メモリ６６０、および／またはコントローラ／プロセッサ６５９を含み得る。
【０１１１】
[00128]一構成では、ｅノードＢ６１０は、送信するための手段と、示すための手段と、制限するための手段とを含むワイヤレス通信のために構成される。一態様では、送信手段と、制限手段と、示す手段とは、送信手段と、制限手段と、示す手段とによって具陳された機能を実行するように構成された、コントローラ／プロセッサ６７５、メモリ６７６、送信プロセッサ６１６、変調器６１８、および／またはアンテナ６２０であり得る。別の構成では、上述の手段は、上述の手段によって具陳された機能を実行するように構成された任意のモジュールまたは任意の装置であり得る。
【０１１２】
[00129]一構成では、ＵＥ６５０は、ワイヤレス通信のために構成され、受信するための手段を含む。一構成では、受信手段は、受信手段によって具陳された機能を実行するように構成された、コントローラ／プロセッサ６５９、メモリ６６０、受信プロセッサ６５６、変調器６５４、および／またはアンテナ６５２であり得る。ＵＥ６５０はまた、判断するための手段を含むワイヤレス通信のために構成される。一構成では、判断手段は、判断手段によって具陳された機能を実行するように構成された、コントローラ／プロセッサ６５９、メモリ６６０、および／または受信プロセッサ６５６であり得る。別の構成では、上述の手段は、上述の手段によって具陳された機能を実行するように構成された任意のモジュールまたは任意の装置であり得る。
【０１１３】
[00130]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１１４】
[00131]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１５】
[00132]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１１６】
[00133]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む通信媒体およびコンピュータ記憶媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【０１１７】
[00134]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
【図１】
2020113993.tif 000003
【図２】
2020113993.tif 000004
【図３】
2020113993.tif 000005
【図４】
2020113993.tif 000006
【図５】
2020113993.tif 000007
【図６】
2020113993.tif 000008
【図７】
2020113993.tif 000009
【図８】
2020113993.tif 000010
【図９】
2020113993.tif 000011
【図１０】
2020113993.tif 000012
【図１１】
2020113993.tif 000013
【図１２Ａ】
2020113993.tif 000014
【図１２Ｂ】
2020113993.tif 000015
【図１３】
2020113993.tif 000016
【図１４】
2020113993.tif 000017
【図１５】
2020113993.tif 000018
【図１６】
2020113993.tif 000019
【図１７】
2020113993.tif 000020
【図１８】
2020113993.tif 000021
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
キャリア上でリソースを送信することと、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すことと、
ユーザ機器（ＵＥ）の動作をリソースの前記第１のセットまたはリソースの前記第２のセットに制限することと
を備える、ワイヤレス通信の方法。
【手続補正２】
【補正対象書類名】明細書
【補正対象項目名】０１１７
【補正方法】変更
【補正の内容】
【０１１７】
[00134]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
キャリア上でリソースを送信することと、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すことと、
ユーザ機器（ＵＥ）の動作をリソースの前記第１のセットまたはリソースの前記第２のセットに制限することと
を備える、ワイヤレス通信の方法。
［Ｃ２］
前記第１のキャリアタイプがレガシーキャリアタイプを備え、前記第２のキャリアタイプが新しいキャリアタイプを備える、［Ｃ１］に記載の方法。
［Ｃ３］
前記キャリアが通信のための周波数帯域である、［Ｃ１］に記載の方法。
［Ｃ４］
使用されている実際の帯域幅とは異なる帯域幅を広告することをさらに備える、［Ｃ１］に記載の方法。
［Ｃ５］
前記動作がページングオケージョンを備え、リソースの前記第１のセットがリソースの前記第２のセットから直交する、［Ｃ１］に記載の方法。
［Ｃ６］
ネットワークローディングに少なくとも部分的に基づいてページングオケージョンを定義することをさらに備える、［Ｃ５］に記載の方法。
［Ｃ７］
第１のキャリアタイプＵＥについてページングオケージョンを監視するための少なくとも１つの第１のサブフレームと、第２のキャリアタイプＵＥについてページングオケージョンを監視するための少なくとも１つの第２のサブフレームとを定義することをさらに備える、［Ｃ５］に記載の方法。
［Ｃ８］
前記第２のキャリアタイプＵＥが、前記第１のキャリアタイプＵＥと比較してページング監視のために追加のサブフレームを使用する、［Ｃ７］に記載の方法。
［Ｃ９］
新しいページングロケーションにマッピングするための新しいハッシング関数を定義することをさらに備える、［Ｃ５］に記載の方法。
［Ｃ１０］
前記示すことが、前記キャリアを前記第２のキャリアタイプとして示すためにマスタ情報ブロック（ＭＩＢ）またはシステム情報ブロック（ＳＩＢ）中で予約済みビットを送信することを備える、［Ｃ１］に記載の方法。
［Ｃ１１］
前記動作が、リソースの前記第１のセットまたはリソースの前記第２のセットを監視することを備える、［Ｃ１］に記載の方法。
［Ｃ１２］
前記リソースがサブフレームまたはサブバンドを備える、［Ｃ１］に記載の方法。
［Ｃ１３］
キャリア上でリソースを受信することと、前記リソースが、第１のキャリアタイプに関連するリソースの第１のセットと、第２のキャリアタイプに関連するリソースの第２のセットとを含む、
前記キャリアが前記第１のキャリアタイプであるか前記第２のキャリアタイプであるかを判断することと、
リソースの前記第１のセットまたはリソースの前記第２のセットへの動作の制限を受信することと
を備える、ワイヤレス通信の方法。
［Ｃ１４］
前記第１のキャリアタイプがレガシーキャリアタイプを備え、前記第２のキャリアタイプが新しいキャリアタイプを備える、［Ｃ１３］に記載の方法。
［Ｃ１５］
前記キャリアが通信のための周波数帯域である、［Ｃ１３］に記載の方法。
［Ｃ１６］
前記動作がページングオケージョンを備え、リソースの前記第１のセットがリソースの前記第２のセットから直交する、［Ｃ１３］に記載の方法。
［Ｃ１７］
前記判断することは、前記キャリアが前記第２のキャリアタイプであることを示すためのマスタ情報ブロック（ＭＩＢ）またはシステム情報ブロック（ＳＩＢ）中の予約済みビットに少なくとも部分的に基づく、［Ｃ１３］に記載の方法。
［Ｃ１８］
前記動作が、リソースの前記第１のセットまたはリソースの前記第２のセットを監視することを備える、［Ｃ１３］に記載の方法。
［Ｃ１９］
前記リソースがサブフレームまたはサブバンドを備える、［Ｃ１３］に記載の方法。
［Ｃ２０］
メモリと、
前記メモリに結合された少なくとも１つのプロセッサと、
を備え、
前記少なくとも１つのプロセッサは、
キャリア上でリソースを送信することと、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すことと、
ユーザ機器（ＵＥ）の動作をリソースの前記第１のセットまたはリソースの前記第２のセットに制限することと
を行うように構成される、
ワイヤレス通信のための装置。
［Ｃ２１］
前記第１のキャリアタイプがレガシーキャリアタイプを備え、前記第２のキャリアタイプが新しいキャリアタイプを備える、［Ｃ２０］に記載の装置。
［Ｃ２２］
前記キャリアが通信のための周波数帯域である、［Ｃ２０］に記載の装置。
［Ｃ２３］
前記少なくとも１つのプロセッサが、使用されている実際の帯域幅とは異なる帯域幅を広告するようにさらに構成された、［Ｃ２０］に記載の装置。
［Ｃ２４］
前記動作がページングオケージョンを備え、リソースの前記第１のセットがリソースの前記第２のセットから直交する、［Ｃ２０］に記載の装置。
［Ｃ２５］
前記少なくとも１つのプロセッサが、ネットワークローディングに少なくとも部分的に基づいてページングオケージョンを定義するようにさらに構成された、［Ｃ２４］に記載の装置。
［Ｃ２６］
前記少なくとも１つのプロセッサが、第１のキャリアタイプＵＥについてページングオケージョンを監視するための少なくとも１つの第１のサブフレームと、第２のキャリアタイプＵＥについてページングオケージョンを監視するための少なくとも１つの第２のサブフレームとを定義するようにさらに構成された、［Ｃ２４］に記載の装置。
［Ｃ２７］
前記第２のキャリアタイプＵＥが、前記第１のキャリアタイプＵＥと比較してページング監視のために追加のサブフレームを使用する、［Ｃ２６］に記載の装置。
［Ｃ２８］
前記少なくとも１つのプロセッサが、新しいページングロケーションにマッピングするために新しいハッシング関数を定義するようにさらに構成された、［Ｃ２４］に記載の装置。
［Ｃ２９］
前記少なくとも１つのプロセッサが、前記キャリアを前記第２のキャリアタイプとして示すためにマスタ情報ブロック（ＭＩＢ）またはシステム情報ブロック（ＳＩＢ）中で予約済みビットを送信することによって示すようにさらに構成された、［Ｃ２０］に記載の装置。
［Ｃ３０］
前記動作が、リソースの前記第１のセットまたはリソースの前記第２のセットを監視することを備える、［Ｃ２０］に記載の装置。
［Ｃ３１］
前記リソースがサブフレームまたはサブバンドを備える、［Ｃ２０］に記載の装置。
［Ｃ３２］
メモリと、
前記メモリに結合された少なくとも１つのプロセッサと、
を備え、
前記少なくとも１つのプロセッサは、
キャリア上でリソースを受信することと、前記リソースが、第１のキャリアタイプに関連するリソースの第１のセットと、第２のキャリアタイプに関連するリソースの第２のセットとを含む、
前記キャリアが前記第１のキャリアタイプであるか前記第２のキャリアタイプであるかを判断することと、
リソースの前記第１のセットまたはリソースの前記第２のセットへの動作の制限を受信することと
を行うように構成される、
ワイヤレス通信のための装置。
［Ｃ３３］
前記第１のキャリアタイプがレガシーキャリアタイプを備え、前記第２のキャリアタイプが新しいキャリアタイプを備える、［Ｃ３２］に記載の装置。
［Ｃ３４］
前記キャリアが通信のための周波数帯域である、［Ｃ３２］に記載の装置。
［Ｃ３５］
前記動作がページングオケージョンを備え、リソースの前記第１のセットがリソースの前記第２のセットから直交する、［Ｃ３２］に記載の装置。
［Ｃ３６］
前記少なくとも１つのプロセッサは、前記キャリアが前記第２のキャリアタイプであることを示すためのマスタ情報ブロック（ＭＩＢ）またはシステム情報ブロック（ＳＩＢ）中の予約済みビットに少なくとも部分的に基づいて判断するように構成された、［Ｃ３２］に記載の装置。
［Ｃ３７］
前記動作が、リソースの前記第１のセットまたはリソースの前記第２のセットを監視することを備える、［Ｃ３２］に記載の装置。
［Ｃ３８］
前記リソースがサブフレームまたはサブバンドを備える、［Ｃ３２］に記載の装置。
［Ｃ３９］
キャリア上でリソースを送信するための手段と、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すための手段と、
ユーザ機器（ＵＥ）の動作をリソースの前記第１のセットまたはリソースの前記第２のセットに制限するための手段と
を備える、ワイヤレス通信のための装置。
［Ｃ４０］
キャリア上でリソースを受信するための手段と、前記リソースが、第１のキャリアタイプに関連するリソースの第１のセットと、第２のキャリアタイプに関連するリソースの第２のセットとを含む、
前記キャリアが前記第１のキャリアタイプであるか前記第２のキャリアタイプであるかを判断するための手段と、
リソースの前記第１のセットまたはリソースの前記第２のセットへの動作の制限を受信するための手段と
を備える、ワイヤレス通信のための装置。
［Ｃ４１］
ワイヤレス通信のためのコンピュータプログラム製品であって、前記コンピュータプログラム製品が、
プログラムコードを記録した非一時的コンピュータ可読媒体
を備え、前記プログラムコードは、
キャリア上でリソースを送信するためのプログラムコードと、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すためのプログラムコードと、
ユーザ機器（ＵＥ）の動作をリソースの前記第１のセットまたはリソースの前記第２のセットに制限するためのプログラムコードと
を備える、
コンピュータプログラム製品。
［Ｃ４２］
ワイヤレス通信のためのコンピュータプログラム製品であって、前記コンピュータプログラム製品が、
プログラムコードを記録した非一時的コンピュータ可読媒体
を備え、前記プログラムコードは、
キャリア上でリソースを受信するためのプログラムコードと、前記リソースが、第１のキャリアタイプに関連するリソースの第１のセットと、第２のキャリアタイプに関連するリソースの第２のセットとを含む、
前記キャリアが前記第１のキャリアタイプであるか前記第２のキャリアタイプであるかを判断するためのプログラムコードと、
リソースの前記第１のセットまたはリソースの前記第２のセットへの動作の制限を受信するためのプログラムコードと
を備える、
コンピュータプログラム製品。
【外国語明細書】
2020113993000001.pdf